(57)【要約】【課題】無信号チャンネルの選局時にあっては無駄な電力消費を防止することができるようにする。【解決手段】チューナ１１によって選局されたデジタル放送信号がデジタル信号復調部１２により復調され、映像、音声、データが多重されたトランスポートストリームが出力されると、ＴＳデコーダ１３によりそのトランスポートストリームから映像データ及び音声データが分離・抽出されて出力され、Ａ／Ｖデコーダ１４によりその分離・抽出された映像データ及び音声データに対し復号処理が行われて出力され、Ａ／Ｖ出力部１５により復号された映像／音声信号が出力されるが、制御部１８によりＴＳデコーダ１３によって分離・抽出された映像データの有無が判断され、その映像データが無いと判断されると、電源回路２１がオフされるようにした。【選択図】図１
2007201750.tif 000002
【特許請求の範囲】
【請求項１】
デジタル放送信号の状況に応じて電源を制御するデジタル放送受信装置であって、
前記デジタル放送信号の選局を行う選局手段と、
この選局手段によって選局された前記デジタル放送信号を復調し、映像、音声、データが多重されたトランスポートストリームを出力する復調手段と、
この復調手段から出力されたトランスポートストリームから映像データ及び音声データを分離・抽出して出力する分離・抽出手段と、
この分離・抽出手段によって分離・抽出された映像データ及び音声データに対し復号処理を行って出力する復号手段と、
この復号手段によって復号された映像／音声信号を出力する映像／音声信号出力手段と、
前記分離・抽出手段によって分離・抽出された映像データの有無を判断し、その映像データが無いと判断すると、電源回路をオフする制御手段とを備える
ことを特徴とするデジタル放送受信装置。
【請求項２】
前記分離・抽出手段によって分離・抽出された少なくとも電子番組表データが記録される記録手段を有し、
前記制御手段は、前記記録手段に記録された電子番組表データから放送番組の休止の時間帯を判別し、該当する放送番組が選局されている場合に、前記電源回路をオフする
ことを特徴とする請求項１に記載のデジタル放送受信装置。
【請求項３】
前記制御手段は、前記復調手段から出力されたトランスポートストリームから選局されている放送番組が休止であるか否かを判別し、選局されている放送番組が休止である場合に、前記電源回路をオフすることを特徴とする請求項１又は２に記載のデジタル放送受信装置。
【請求項４】
デジタル放送信号の状況に応じて電源を制御するデジタル放送受信方法であって、
前記デジタル放送信号の選局を行うステップと、
選局された前記デジタル放送信号を復調し、映像、音声、データが多重されたトランスポートストリームを出力するステップと、
出力されたトランスポートストリームから映像データ及び音声データを分離・抽出して出力するステップと、
分離・抽出された映像データ及び音声データに対し復号処理を行って出力するステップと、
復号された映像／音声信号を出力するステップと、
前記分離・抽出された映像データの有無を判断し、その映像データが無いと判断すると、電源回路をオフするステップとを有する
ことを特徴とするデジタル放送受信方法。
【請求項５】
前記分離・抽出された少なくとも電子番組表データが記録されるステップと、
記録された前記電子番組表データから放送番組の休止の時間帯を判別し、該当する放送番組が選局されている場合に、前記電源回路をオフするステップとを有する
ことを特徴とする請求項４に記載のデジタル放送受信方法。
【請求項６】
前記復調されたトランスポートストリームから選局されている放送番組が休止であるか否かを判別し、選局されている放送番組が休止である場合に、前記電源回路をオフするステップを有することを特徴とする請求項４又は５に記載のデジタル放送受信方法。
【発明の詳細な説明】
【技術分野】
【０００１】
本発明は、たとえば無信号チャンネルが選局されているときに電源を自動でオフするデジタル放送受信装置及びデジタル放送受信方法に関する。
【背景技術】
【０００２】
近年、地上波デジタル放送が実現されつつある。地上波デジタル放送とは、従来行われてきた、地上波アナログ放送のうちのＵＨＦ帯（１３〜６２ｃｈ）を使用しているものである。地上波デジタル放送としては、高画質のハイビジョン放送、多チャンネル同時放送、データ放送、電子番組ガイド（ＥＰＧ）、携帯向け放送、視聴者参加型番組等、様々な利用案が考えられている。
【０００３】
地上波デジタル放送の受信には、ＵＨＦアンテナと地上波デジタル放送対応チューナ又はチューナ内蔵テレビとが必要となる。また、これらの受信機にはＢ−ＣＡＳと呼ばれるカードがセットになっており、このカードを本体のカードスロットに挿入しないと、視聴できない仕組みとなっている。これを利用し利用者の識別や、有料放送の制御、さらには不正利用防止が図れるようになっている。
【０００４】
ところで、地上波デジタル放送は、映像や音声を０と１のデジタル信号に置き変えて送信するデジタル方式を採用しているため、無信号チャンネル選局時は黒画面となる。そのため、無信号チャンネル選局時であってもデジタル放送受信装置の電源が投入されていれば無駄な電力を消費してしまうことになる。
【０００５】
このような無駄な電力消費を防止するようにしたものとして、特許文献１では、カラーバー等の特定静止画を自動判別することにより、液晶バックライトの輝度を落としたり、映像信号自体のデータのゲインを落としたりする構成とし、これにより映像信号が常時入力されている場合でも未使用時には省電力を図ることを可能としたディスプレイを提案している。
【特許文献１】特開２００３−２７１１０６号公報
【発明の開示】
【発明が解決しようとする課題】
【０００６】
ところが、上述した特許文献１では、カラーバー等の特定静止画を自動判別することにより、液晶バックライトの輝度を落としたり、映像信号自体のデータのゲインを落としたりすことで省電力を図るようにしているため、無信号チャンネル選局時であってもデジタル放送受信装置の電源が投入されていれば無駄な電力を消費してしまうという問題があった。
【０００７】
本発明は、このような状況に鑑みてなされたものであり、上記問題点を解決することができるデジタル放送受信装置及びデジタル放送受信方法を提供することを目的とする。
【課題を解決するための手段】
【０００８】
本発明のデジタル放送受信装置は、デジタル放送信号の状況に応じて電源を制御するデジタル放送受信装置であって、前記デジタル放送信号の選局を行う選局手段と、この選局手段によって選局された前記デジタル放送信号を復調し、映像、音声、データが多重されたトランスポートストリームを出力する復調手段と、この復調手段から出力されたトランスポートストリームから映像データ及び音声データを分離・抽出して出力する分離・抽出手段と、この分離・抽出手段によって分離・抽出された映像データ及び音声データに対し復号処理を行って出力する復号手段と、この復号手段によって復号された映像／音声信号を出力する映像／音声信号出力手段と、前記分離・抽出手段によって分離・抽出された映像データの有無を判断し、その映像データが無いと判断すると、電源回路をオフする制御手段とを備えることを特徴とする。
また、前記分離・抽出手段によって分離・抽出された少なくとも電子番組表データが記録される記録手段を有し、前記制御手段は、前記記録手段に記録された電子番組表データから放送番組の休止の時間帯を判別し、該当する放送番組が選局されている場合に、前記電源回路をオフするようにすることができる。
また、前記制御手段は、前記復調手段から出力されたトランスポートストリームから選局されている放送番組が休止であるか否かを判別し、選局されている放送番組が休止である場合に、前記電源回路をオフするようにすることができる。
本発明のデジタル放送受信方法は、デジタル放送信号の状況に応じて電源を制御するデジタル放送受信方法であって、前記デジタル放送信号の選局を行うステップと、選局された前記デジタル放送信号を復調し、映像、音声、データが多重されたトランスポートストリームを出力するステップと、出力されたトランスポートストリームから映像データ及び音声データを分離・抽出して出力するステップと、分離・抽出された映像データ及び音声データに対し復号処理を行って出力するステップと、復号された映像／音声信号を出力するステップと、前記分離・抽出された映像データの有無を判断し、その映像データが無いと判断すると、電源回路をオフするステップとを有することを特徴とする。
また、前記分離・抽出された少なくとも電子番組表データが記録されるステップと、記録された前記電子番組表データから放送番組の休止の時間帯を判別し、該当する放送番組が選局されている場合に、前記電源回路をオフするステップとを有するようにすることができる。
また、前記復調されたトランスポートストリームから選局されている放送番組が休止であるか否かを判別し、選局されている放送番組が休止である場合に、前記電源回路をオフするステップを有するようにすることができる。
本発明のデジタル放送受信装置及びデジタル放送受信方法では、選局されたデジタル放送信号が復調され、映像、音声、データが多重されたトランスポートストリームが出力されると、そのトランスポートストリームから映像データ及び音声データが分離・抽出されて出力され、分離・抽出された映像データ及び音声データに対し復号処理が行われて出力され、復号された映像／音声信号が出力されるが、分離・抽出された映像データの有無が判断され、その映像データが無いと判断されると、電源回路がオフされる。
【発明の効果】
【０００９】
本発明のデジタル放送受信装置及びデジタル放送受信方法によれば、分離・抽出された映像データの有無が判断され、その映像データが無いと判断されると、電源回路がオフされるようにしたので、無信号チャンネルの選局時にあっては無駄な電力消費を防止することができる。
【発明を実施するための最良の形態】
【００１０】
本実施形態では、選局手段によって選局されたデジタル放送信号が復調手段により復調され、映像、音声、データが多重されたトランスポートストリームが出力されると、分離・抽出手段によりそのトランスポートストリームから映像データ及び音声データが分離・抽出されて出力され、復号手段によりその分離・抽出された映像データ及び音声データに対し復号処理が行われて出力され、映像／音声信号出力手段により復号された映像／音声信号が出力されるが、制御手段により分離・抽出手段によって分離・抽出された映像データの有無が判断され、その映像データが無いと判断されると、電源回路がオフされるようにし、無信号チャンネルの選局時にあっては無駄な電力消費を防止するようにした。
【実施例】
【００１１】
以下、本発明の実施例の詳細について説明する。図１は、本発明のデジタル放送受信装置の一実施例を説明するための図である。
【００１２】
図１に示すデジタル放送受信装置１は、デジタル放送受信部１０、リモコン受信器２０、電源回路２１を備えている。
【００１３】
デジタル放送受信部１０には、チューナ１１、デジタル信号復調部１２、ＴＳ（トランスポートストリーム）デコーダ１３、Ａ／Ｖ（音声／映像）デコーダ１４、Ａ／Ｖ（音声／映像）出力部１５、メモリ１６、ＩＣカード１７、制御部１８が設けられている。
【００１４】
チューナ１１は、たとえばリモコン受信器２０によって受信された選局データに基づきデジタル放送信号の選局を行う。デジタル信号復調部１２は、チューナ１１によって選局されたデジタル放送信号を復調し、ＭＰＥＧ２符号化方式等で符号化された映像、音声、データが多重されたビットストリーム（以下、トランスポートストリームという）として出力する。
【００１５】
ＴＳデコーダ１３は、デジタル信号復調部１２からのトランスポートストリームから映像データ、音声データ、電子番組表データ等の各種データを分離・抽出して出力する。Ａ／Ｖデコーダ１４は、ＴＳデコーダ１３によって分離・抽出された映像データ及び音声データに対しＭＰＥＧ２等の復号処理を行って出力する。Ａ／Ｖ出力部１５は、Ａ／Ｖデコーダ１４によって復号処理されたＡ／Ｖ信号を出力する。
【００１６】
メモリ１６には、ＴＳデコーダ１３によって分離・抽出された電子番組表データ等が記録される。ＩＣカード１７には、各有料放送事業体に対する契約情報やスクランブルを解除するための鍵データからなるＥＭＭ（Ｅｎｔｉｔｌｅｍｅｎｔ  Ｍａｎａｇｅｍｅｎｔ  Ｍｅｓｓａｇｅ）と呼ばれるユーザ別の個別情報が記録される。
【００１７】
制御部１８は、各部の動作を所定のプログラムに基づいて制御する。本実施例における制御部１８の主な制御としては、たとえばＴＳデコーダ１３によって分離・抽出された映像データが無い場合は、無信号チャンネルが選局されていると判断し、電源回路２１をオフすることである。
【００１８】
リモコン受信器２０は、図示しないリモコンから赤外線信号によって送信される選局データ等を受信する。電源回路２１は、デジタル放送受信装置１のメイン電源である。
【００１９】
次に、デジタル放送受信装置１によるデジタル放送受信方法について説明する。まず、図２に示すように、図示しないリモコンからの電源オンのデータを受信すると（ステップＳ１）、制御部１８により電源回路２１がオンされる（ステップＳ２）。
【００２０】
次いで、図示しないリモコンからの選局データを受信すると、制御部１８によりチューナ１１が制御され、その選局データに基づきデジタル放送信号の選局が行われる（ステップＳ３）。チューナ１１によって選局されたデジタル放送信号は、デジタル信号復調部１２によって復調され、ＭＰＥＧ２符号化方式等で符号化された映像、音声、データが多重されたトランスポートストリームが出力される（ステップＳ４）。ＴＳデコーダ１３によって分離・抽出された電子番組表データ等は、メモリ１６に記録される。
【００２１】
このとき、制御部１８により、ＴＳデコーダ１３によって分離・抽出された映像データの有無が判断され（ステップＳ５）、映像データが有る場合は、ＴＳデコーダ１３によって分離・抽出された映像データ及び音声データがＡ／Ｖデコーダ１４によってＭＰＥＧ２等に復号処理された後、Ａ／Ｖ出力部１５からＡ／Ｖ信号として出力される（ステップＳ６，Ｓ７）。
【００２２】
これに対し、制御部１８により、ＴＳデコーダ１３の出力に映像データが無いと判断されると、電源回路２１がオフされる（ステップＳ８）。これにより、Ａ／Ｖ出力部１５からのＡ／Ｖ信号の出力が無くなる。
【００２３】
このように、本実施例では、選局手段としてのチューナ１１によって選局されたデジタル放送信号が復調手段としてのデジタル信号復調部１２により復調され、映像、音声、データが多重されたトランスポートストリームが出力されると、分離・抽出手段としてのＴＳデコーダ１３によりそのトランスポートストリームから映像データ及び音声データが分離・抽出されて出力され、復号手段としてのＡ／Ｖデコーダ１４によりその分離・抽出された映像データ及び音声データに対し復号処理が行われて出力され、映像／音声信号出力手段としてのＡ／Ｖ出力部１５により復号された映像／音声信号が出力されるが、制御手段としての制御部１８によりＴＳデコーダ１３によって分離・抽出された映像データの有無が判断され、その映像データが無いと判断されると、電源回路２１がオフされるようにしたので、無信号チャンネルの選局時にあっては無駄な電力消費を防止することができる。
【００２４】
なお、本実施例では、制御部１８によりＴＳデコーダ１３によって分離・抽出された映像データの有無が判断されるようにしているが、これに限らず、ＴＳデコーダ１３により分離・抽出された電子番組表データが記録手段としてのメモリ１６に記録されるようにし、制御部１８がメモリ１６に記録された電子番組表データから放送番組の休止の時間帯を判別し、該当する放送番組が選局されている場合に、電源回路２１をオフするようにしてもよい。
【００２５】
また、制御部１８により、デジタル信号復調部１２からのトランスポートストリームから選局されている放送番組が休止であるか否かを判別し、選局されている放送番組が休止である場合に、電源回路２１をオフするようにしてもよい。
【００２６】
なお、制御部１８による、ＴＳデコーダ１３によって分離・抽出された映像データの有無の判断、メモリ１６に記録された電子番組表データからの放送番組の休止の時間帯の判別、トランスポートストリームからの選局されている放送番組が休止であるか否かの判別については、全て同時に行われるようにしてもよい。
【００２７】
また、本実施例におけるデジタル放送受信装置１を、ＤＶＤレコーダ等の記録装置に組み込んだ場合には、たとえば予約録画が設定されているとき、その予約された放送番組の映像データが無い場合等にユーザが予約解除をしなくても自動で電源回路２１がオフされるので、無駄な電力消費を防止することができる。
【産業上の利用可能性】
【００２８】
液晶表示パネル等の平面パネルを備えたテレビ受信機にも適用可能である。
【図面の簡単な説明】
【００２９】
【図１】本発明のデジタル放送受信装置の一実施例を説明するためのブロック図である。
【図２】図１のデジタル放送受信装置によるデジタル放送受信方法を説明するためのフローチャートである。
【符号の説明】
【００３０】
１  デジタル放送受信装置
１０  デジタル放送受信部
１１  チューナ（選局手段）
１２  デジタル信号復調部（復調手段）
１３  ＴＳデコーダ（分離・抽出手段）
１４  Ａ／Ｖデコーダ（復号手段）
１５  Ａ／Ｖ出力部（映像／音声信号出力手段）
１６  メモリ（記録手段）
１７  ＩＣカード
１８  制御部（制御手段）
２０  リモコン受信器
２１  電源回路
【図１】
2007201750.tif 000003
【図２】
2007201750.tif 000004